(57)【特許請求の範囲】
【請求項１】
画像情報を入力するための画像情報入力手段と、
該画像情報入力手段により入力された画像情報を記憶する画像情報記憶手段と、
前記画像情報に対して画像処理を行うための画像処理手段と、
前記画像情報が記録再現される記録媒体と、該記録媒体を副走査方向に搬送するための搬送部と、前記画像情報記憶手段に記憶してある前記画像情報に基づいて、前記記録媒体上に、主走査方向の画像記録を順次行うための主走査記録再現部とからなる画像情報記録再現手段と、
前記画像情報記憶手段に記憶してある前記画像情報に基づく、前記画像情報記録再現手段による画像の記録再現を制御するための画像記録再現制御手段とからなる画像処理装置において、
前記画像情報入力手段から入力される前記画像情報を、前記画像情報記憶手段において、前記主走査記録再現手段による主走査方向に向かって所定数展開し記憶するための入力画像情報展開手段を備え、
前記画像情報記録再現手段は、前記画像情報を、記録する記録媒体の一端に対して平行、かつ近傍となるように記録再現し、
原稿サイズ検知手段により検知された原稿画像の主走査方向の原稿サイズと、記録媒体の主走査方向のサイズとに基づいて、記録媒体の主走査方向に収めることができる前記原稿画像の個数ｍを算出し、
前記原稿画像を、主走査方向にｍ−１個の画像を記録媒体の幅と一致するように確保されたメモリ幅の左端に詰めて配置し、１画像を前記メモリ幅の右端に詰めて配置するよう展開することを特徴とする画像処理装置。
【請求項２】
原稿サイズ検知手段により検知された原稿画像の副走査方向の原稿サイズと、記録媒体の副走査方向のサイズに基づいて、記録媒体の副走査方向に収めることができる前記原稿画像の個数ｋを算出し、
前記原稿画像を、主走査方向にｍ個並べてなる原稿画像列を画像情報記録再生手段へｋ−１回繰り返し転送し、記録媒体の副走査方向の長さから原稿画像の副走査方向長さのｋ倍を引いた長さ分用紙を搬送した後、残り１回前記原稿画像列を転送し画像記録を行うことを特徴とする請求項１記載の画像処理装置。
【発明の詳細な説明】
【０００１】
【発明の属する技術分野】
本発明は、デジタルカラー複写機やプリンタ等の画像処理装置において、画像データとして入力される画像情報を記録媒体である１枚の記録紙に複数展開して出力する画像処理装置に関するものである。
【０００２】
【従来の技術】
記録媒体である記録紙上に複数の画像をマルチコピーする方式としては、特開昭６２−２７８４６３号公報のようなものがあった。
【０００３】
このデジタル複写機のマルチコピー方式においては、１ラインの記録走査を行っている時に、メモリに記憶されている画像をライン単位で複数回発生させて記録紙に複写させる方式のものであった。
【０００４】
【発明が解決しようとする課題】
しかし、上記のデジタル複写機のマルチコピー方式のものは、主走査方向への分割印刷であり、ライン単位での転送処理しか対応できない。
従って、副走査方向に原稿画像を繰り返し再現するには、再度原稿読み取り部を駆動させて原稿の画像データを読み取るか、または、ページメモリを持ちこのページメモリ上に画像群を作成する必要があり、画像情報の処理（転送）時間、画像情報を管理するメモリ容量などで問題があり、このようなデジタル複写機においては、画像の入力から出力までの処理速度が遅く、コストの高いものとなってしまうという問題があった。
【０００５】
本発明は上記の問題に鑑みなされたものであり、１個の画像を複数並列した画像群を効率よく記録再現することのできる画像処理装置を提供することを目的としたものである。
【０００６】
【課題を解決するための手段】
請求項１記載の発明は、画像情報を入力するための画像情報入力手段と、該画像情報入力手段により入力された画像情報を記憶する画像情報記憶手段と、前記画像情報に対して画像処理を行うための画像処理手段と、前記画像情報が記録再現される記録媒体と、該記録媒体を副走査方向に搬送するための搬送部と、前記画像情報記憶手段に記憶してある前記画像情報に基づいて、前記記録媒体上に、主走査方向の画像記録を順次行うための主走査記録再現部とからなる画像情報記録再現手段と、前記画像情報記憶手段に記憶してある前記画像情報に基づく、前記画像情報記録再現手段による画像の記録再現を制御するための画像記録再現制御手段とからなる画像処理装置において、前記画像情報入力手段から入力される前記画像情報を、前記画像情報記憶手段において、前記主走査記録再現手段による主走査方向に向かって所定数展開し記憶するための入力画像情報展開手段を備え、前記画像情報記録再現手段は、前記画像情報を、記録する記録媒体の一端に対して平行、かつ近傍となるように記録再現し、原稿サイズ検知手段により検知された原稿画像の主走査方向の原稿サイズと、記録媒体の主走査方向のサイズとに基づいて、記録媒体の主走査方向に収めることができる前記原稿画像の個数ｍを算出し、前記原稿画像を、主走査方向にｍ−１個の画像を記録媒体の幅と一致するように確保されたメモリ幅の左端に詰めて配置し、１画像を前記メモリ幅の右端に詰めて配置するよう展開することを特徴とする。
【０００８】
請求項２記載の発明は、原稿サイズ検知手段により検知された原稿画像の副走査方向の原稿サイズと、記録媒体の副走査方向のサイズに基づいて、記録媒体の副走査方向に収めることができる前記原稿画像の個数ｋを算出し、前記原稿画像を、主走査方向にｍ個並べてなる原稿画像列を画像情報記録再生手段へｋ−１回繰り返し転送し、記録媒体の副走査方向の長さから原稿画像の副走査方向長さのｋ倍を引いた長さ分用紙を搬送した後、残り１回前記原稿画像列を転送し画像記録を行うことを特徴とする。
【００１７】
【発明の実施の形態】
本発明の画像処理装置であるデジタルカラー複写機の構成を図１とともに説明する。
図１は、デジタルカラー複写機の実施形態の正面断面図である。
【００１８】
複写機本体１の上面には、原稿台１１１及び操作パネルが設けられているとともに、原稿台１１１の上面には当該原稿台１１１に対して開閉可能な状態で支持され、原稿台１１１面に対して所定の位置関係をもって自動原稿送り装置１１２が装着されている。
さらに、この複写機本体１の内部には原稿読み取り部１１０及び画像形成部２１０が構成されている。
【００１９】
まず、複写機本体１の上面において原稿台１１１上に装着された自動原稿送り装置１１２は、両面原稿に対応した両面自動原稿送り装置であって、原稿の一方の面が原稿台１１１の所定位置において対向するように原稿を搬送し、この一方の面についての画像読み取りが終了した後に、他方の面が原稿台１１１の所定位置において対向するよう原稿を反転して原稿台１１１に向かって搬送する。
【００２０】
そして、１枚の原稿について、両面の画像読み取りが終了した後にこの原稿を排出し、次の原稿についての両面搬送動作を実行する。なお、以上の原稿の搬送及び表裏反転の動作は複写機全体の動作に関連して制御されるものである。
【００２１】
また、両面自動原稿送り装置１１２により原稿台１１１上に搬送されてきた原稿の画像を読み取るために、原稿台１１１の下方には該原稿台１１１の下面に沿って平行に往復移動する原稿走査体が配置されている。
【００２２】
この原稿走査体は原稿画像面を露光する露光ランプと原稿からの反射光像を所定の方向に向かって偏向する第１ミラーとからなる原稿台１１１下面において一定の距離を保ちながら所定の走査速度で平行往復移動する第１の走査ユニット１１３と、第１の走査ユニット１１３の第１ミラーにより偏向された原稿からの反射光像をさらに所定の方向に向かって偏向する第２，第３ミラーからなる第１の走査ユニット１１３と一定の速度関係をもって平行往復移動する第２の走査ユニット１１４と、第２の走査ユニット１１４の第３ミラーにより偏向された原稿からの反射光像を縮小して所定の位置に光像を結像させる光学レンズ１１５と、光学レンズ１１５により縮小された光像が結像された光像を順次光電変換して原稿からの反射光像を電気信号として出力する光電変換素子１１６とから構成されている。
この光電変換素子１１６により電気信号に変換された原稿画像情報は、さらに後述する画像処理部に転送され画像データとして所定の処理が施される。
【００２３】
次に、複写本体１の下部側に位置する画像形成部２１０について説明する。図１に示す画像形成部２１０内の下側には、給紙機構２１１が設けられており、用紙トレイ内に積載収容されている用紙を１枚ずつ分離して記録部側に向かって供給する。
【００２４】
そして、１枚ずつ分離供給された用紙は、画像形成部２１０の手前に配置されたレジストローラ対２１２によりタイミングが制御されて搬送され、画像形成部２１０とタイミングをとって再供給搬送される。
【００２５】
上記画像形成部２１０の下方には、略平行にのびた転写搬送ベルト２１３が配置されており、駆動ローラ２１４と従動ローラ２１５などの複数のローラ間に張架された転写搬送ベルト２１６に用紙を静電吸着させて搬送する構成となっている。
【００２６】
さらに、転写搬送ベルト２１３の下流側には用紙上に転写形成されたトナー像を用紙上に定着させるための定着装置２１７が配置されており、この定着装置２１７の定着ローラニップ間を通過した用紙は搬送方向切り換えゲート２１８を経て排出ローラ２１９により装置外壁に取り付けられている排紙トレイ２２０上に排出される。
【００２７】
なお、搬送方向切り換えゲート２１８は定着後の用紙を複写機外へと排出するが、再び、画像形成部２１０に向かって再供給するか選択的に用紙の搬送経路を切り換えるものであって、この切り換えゲート２１８により再び画像形成部２１０に向かって搬送方向を切り換えられた用紙は、スイッチバック搬送経路２２１を介して表裏反転の後、画像形成部２１０へと再度供給される。
【００２８】
また、駆動ローラ２１４と従動ローラ２１５等により略平行に張架された転写搬送ベルト２１６の上側には、該転写搬送ベルト２１６に近接して搬送経路上流側から順に第１，第２，第３，第４の画像形成ステーションＰａ，Ｐｂ，Ｐｃ，Ｐｄが並設されている。
【００２９】
そして、転写搬送ベルト２１６は駆動ローラ２１４によって、図１において矢印Ｚで示す方向に摩擦駆動され、前にも述べたように上記給紙機構２１１を通じて給送される用紙を担持し、上述した画像形成ステーションＰａ，Ｐｂ，Ｐｃ，Ｐｄへと順次搬送する。
【００３０】
各画像形成ステーションＰａ，Ｐｂ，Ｐｃ，Ｐｄは実質的に同一の構成を有し、図１に示す矢印Ｆ方向に回転駆動される感光体ドラム２２２ａ，２２２ｂ，２２２ｃ，２２２ｄを含み、各感光体ドラム２２２の周辺には、感光体ドラム２２２ａ，２２２ｂ，２２２ｃ，２２２ｄを一様に帯電する帯電器２２３ａ，２２３ｂ，２２３ｃ，２２３ｄと、感光体ドラム２２２上に形成された静電潛像を現像する現像装置２２４ａ，２２４ｂ，２２４ｃ，２２４ｄと、現像されたトナー像を用紙へ転写する転写用放電器２２５ａ，２２５ｂ，２２５ｃ，２２５ｄと、感光体ドラム２２２上に残留するトナーを除去するクリーニング手段２２６ａ，２２６ｂ，２２６ｃ，２２６ｄが感光体ドラム２２２の回転方向に沿って順次配置されている。
【００３１】
また、各感光体ドラム２２２ａ，２２２ｂ，２２２ｃ，２２２ｄの上方には、画像データに応じて変調されたドット光を発する半導体レーザ素子と、半導体レーザ素子からの光を主走査方向に偏向させるための偏向装置２４０と、偏向装置２４０により偏向されたレーザ光を感光体ドラム２２２表面に結像させるためのｆθレンズ２４１と、反射ミラー２４２，２４３等から構成されるレーザビームスキャナユニット２２７ａ，２２７ｂ，２２７ｃ，２２７ｄが夫々設けられている。
【００３２】
レーザビームスキャナユニット２２７ａにはカラー原稿画像のイエロー成分像に対応する画素信号が、レーザビームスキャナユニット２２７ｂにはカラー原稿画像のマゼンタ成分像に対応する画素信号が、レーザビームスキャナユニット２２７ｃにはカラー原稿画像のシアン成分像に対応する画素信号が、レーザビームスキャナユニット２２７ｄにはカラー原稿画像のブラック成分像に対応する画素信号が夫々入力される。
【００３３】
これにより、各感光体ドラム２２２上には色変換された原稿画像情報に対する静電潛像が形成され、現像装置２２７ａにはイエロー色のトナーが、現像装置２２７ｂにはマゼンタ色のトナーが、現像装置２２７ａにはシアン色のトナーが、現像装置２２７ｂにはブラック色のトナーが夫々収容されているので、各画像形成ステーションＰａ，Ｐｂ，Ｐｃ，Ｐｄにおいて色変換された原稿画像情報が各色のトナー像として再現される。
【００３４】
また、第１の画像形成ステーションＰａと給紙機構２１１との間には用紙吸着用（ブラシ）帯電器２２８が設けられており、この用紙吸着用帯電器２２８は転写搬送ベルト２１６の表面を帯電させ、給紙機構２１１から供給される用紙を転写搬送ベルト２１６上に確実に吸着させた状態で第１の画像形成ステーションＰａから第４の画像形成ステーションＰｄの間をずれることなく搬送される。
【００３５】
一方、第４の画像形成ステーションＰｄと定着装置２１７との間で駆動ローラ２１４のほぼ真上部には除電器（図示せず）が設けられており、この除電器には転写搬送ベルト２１６に静電吸着されている用紙を分離するための交流電流が印加されている。
【００３６】
上記構成のデジタルカラー複写機において、用紙としてカットシート状のものが使用され、この用紙が給紙カセットから送り出されて給紙機構２１１の給紙搬送経路のガイド内に供給されると、その用紙の先端部分が上述のセンサにて検知され、このセンサから出力される検知信号によって一旦用紙はレジストローラ対２１２により停止する。
そして、各画像形成ステーションＰａ，Ｐｂ，Ｐｃ，Ｐｄとタイミングをとって図１の矢印Ｚ方向に回転している転写搬送ベルト２１６側に送られる。
このとき、先に述べた用紙吸着用帯電器２２８により転写搬送ベルト２１６は所定の帯電が施されるので、各画像形成ステーションＰａ，Ｐｂ，Ｐｃ，Ｐｄを通過する間、安定して搬送供給されることとなる。
【００３７】
各画像形成ステーションＰａ，Ｐｂ，Ｐｃ，Ｐｄにおいては、各色のトナー像が上記構成により夫々形成され、転写搬送ベルト２１６により静電吸着搬送される用紙の支持面上に重ね合わされ、第４の画像形成ステーションＰｄによる画像の転写が完了すると、用紙の先端部分から除電器により転写搬送ベルト２１６上から剥離された定着装置２１７へと導かれる。そして、最後にトナー画像が定着された用紙は用紙排出口から排紙トレイ２２０上へと排出される。
【００３８】
（デジタルカラー複写機を含むネットワークシステムの構成の説明）
図２はスタンドアローンとしてのデジタルカラー複写機１（複写機本体１）ではなく、デジタルカラー複写機１を核としたネットワークシステム構成を示した図である。
【００３９】
画像情報入力方法としては、デジタルカラー複写機１の原稿読み取り部１１０から原稿の情報入力するのみならず、ネットワーク接続されたパーソナルコンピュータ２，デジタルカメラ３，デジタルビデオカメラ４，通信携帯端末５などの画像情報入力に対応している。
また、インターネットやイントラネットあるいは高成長する通信インフラを通じ、遠隔地より画像情報入力が可能となっている。
【００４０】
従って、これらの画像情報を出力するデジタルカラー複写機１はマルチファンクションプリンタとして、また、ネットワークプリンタとして重要な役割を果たすとともに、デジタルのもつ機能の他に、さらに利用する側からみて付加価値を持たせることができるシステム構成となっている。
【００４１】
（画像処理部の回路説明）
次にデジタルカラー複写機に搭載されているカラー画像情報の画像処理部の構成及び機能を説明する。
図３はデジタルカラー複写機に含まれている画像処理部のブロック構成図である。
【００４２】
このデジタルカラー複写機に含まれている画像処理部は、画像データ入力部４０、画像処理部４１、画像データ出力部４２、ハードディスク装置もしくはＲＡＭ（ランダムアクセスメモリ）等から構成される画像メモリ４３、中央処理ユニット（ＣＰＵ）４４、画像編集部４５、及び外部インターフェイス部４６，４７から構成されている。
【００４３】
画像データ入力部４０は、白黒原稿あるいはカラー原稿画像を読み取りＲＧＢの色成分に色分解したラインデータを出力することのできる３ラインのカラーＣＣＤ４０ａ、カラーＣＣＤ４０ａにて読み取られたラインデータのライン画像レベルを補正するシェーディング補正回路４０ｂ、３ラインのカラーＣＣＤ４０ａにて読み取られた画像ラインデータのずれを補正するラインバッファ等のライン合わせ部４０ｃ、３ラインのカラーＣＣＤ４０ａから出力される各色のラインデータの色データを補正するセンサ色補正部４０ｄ、各画素の信号の変化にめりはりを持たせるよう補正するＭＴＦ補正部４０ｅ、画像の明暗を補正して視感度補正を行うγ補正部４０ｆなどからなる。
【００４４】
画像処理部４１は、画像データ入力部４０から入力されるカラー原稿信号であるＲＧＢ信号よりモノクロデータを生成するモノクロデータ生成部４１ａ（白黒原稿）、ＲＧＢ信号を記録装置の各記録部に対応したＹＭＣ信号に変換し、またクロック変換する入力処理部４１ｂ、入力された画像データが文字部なのか網点写真なのか印画紙写真なのかをそれぞれを分離する領域分離部４１ｃ、入力処理部４１ｂから出力されるＹＭＣ信号に基づいて下色除去処理を行い黒生成する黒生成部４１ｄ、各色変換テーブルに基づいてカラー画像信号の各色を調整する色補正回路４１ｅ、設定されている倍率に基づいて入力された画像情報を倍率変換するズーム処理回路４１ｆ、及び空間フイルタ４１ｇ、多値誤差拡散や多値ディザなどの階調性を表現するための中間調処理部４１ｈなどから成っている。
【００４５】
中間調処理された各色画像データは画像メモリ部４３に一旦蓄えられる。画像メモリ部４２は画像処理部４１からシリアル出力される８ビット４色（３２ビット）の画像データを順次受け取り、バッファに一時的に蓄えながら３２ビットのデータから８ビット４色の画像データに変換して色毎の画像データとして記憶する４基のハードディスク（回転記憶媒体）４３ａ，４３ｂ，４３ｃ，４３ｄからなる。
【００４６】
また、各画像ステーションの位置が異なるため、画像メモリ部４３の画像メモリ（半導体メモリ）４３ｅに各色画像データを一旦記憶させ、それぞれ時間をずらすことにより、各レーザースキャナーユニットに画像データを送り出すタイミングに合わせ色ずれを防ぐ。
さらに、画像メモリ部４３には複数の画像の合成を行うための画像合成メモリ（画像メモリ４３ｅ）も含んでいる。
【００４７】
画像データ出力部４２は中間調処理部４１ｈからの各色の画像データに基づいてパルス幅変調を行うレーザコントロールユニット（ＬＳＵ）４２ａ、レーザコントロールユニット４２ａから出力される各色の画像信号に応じたパルス幅変調信号に基づいてレーザ記録を行う各色のレーザスキャナユニット４２ａ，４２ｂ，４２ｃ，４２ｄからなる。
【００４８】
中央処理ユニット（ＣＰＵ）４４は、画像データ入力部４０、画像処理部４１、画像データ出力部４２、画像メモリ４３、さらに、後述する画像編集部４５、外部インターフェイス部４６，４７、及びＤＭＡコントローラ４８を所定のシーケンスに基づいてコントロールするものである。
【００４９】
また、画像編集部４５は、画像データ入力部４０、画像処理部４１、あるいは後述する外部インターフェイス部４６を経て一旦画像メモリ４３に記憶された画像データに対して所定の画像編集を施すためのものである。
【００５０】
さらに、外部インターフェイス部４６は、デジタルカラー複写機とは別に設けられた外部の画像入力処理装置（通信携帯端末、デジタルカメラ、デジタルビデオカメラ等）からの画像データを受け入れるための通信インターフェイス手段である。
【００５１】
なお、この外部インターフェイス部４６から入力される画像データも、一旦画像処理部４１に入力して色空間補正などを行うことでデジタルカラー複写機の画像記録部２１０で取り扱うことのできるデータレベルに変換してハードディスク４３ａ，４３ｂ，４３ｃ，４３ｄに記録管理されることとなる。
【００５２】
さらに、外部インターフェース４７はパーソナルコンピュータ２により作成された画像データを入力するプリンタインターフェースであり、また、ＦＡＸ受信した画像データを受け入れるための色黒またはカラーＦＡＸインターフェースである。この外部インターフェース４７から入力される画像データは、すでにＹＭＣＫ信号であり、一旦中間調処理部４１ｈによる中間調処理を施して画像メモリ４３のハードディスク４３ａ，４３ｂ，４３ｃ，４３ｄに記憶されることとなる。この両インターフェースより入力された画像は、原稿画像にもなり、また、特定画像情報管理部４８を通じて特定画像（例えば、広告画像）にもなる。
【００５３】
（デジタルカラー複写機全体の制御構成の説明）
図４はデジタルカラー複写機の装置全体の各部を制御する中央処理ユニット（ＣＰＵ）４４を含む制御回路のブロック図である。
画像データ入力部４０、画像処理部４１、画像データ出力部４２、画像メモリ４３、及び中央処理ユニット（ＣＰＵ）４４は図３と重複するので詳細な説明は省略する。
中央処理ユニット（ＣＰＵ）４４は、ＲＡＤＦ２−１、スキャナ部、レーザプリンタ部などデジタルカラー複写機を構成する各駆動機構部をシーケンス制御により管理するとともに、各部へ制御信号を出力している。
【００５４】
さらには、中央処理ユニット（ＣＰＵ）４４には、操作パネルからなる操作基板ユニット４９が相互通信可能な状態で接続されており、操作パネル７５の操作に応じて操作者が設定入力した複写モード内容を示す制御信号を中央処理ユニット（ＣＰＵ）４４に転送してデジタルカラー複写機をモードに応じて動作させるように制御するようになっている。
【００５５】
また、中央処理ユニット（ＣＰＵ）４４からはデジタルカラー複写機の動作状態を示す制御信号を操作基板ユニット４９へと転送して、操作基板ユニット４９側ではこの制御信号により装置が現在どのような状態にあるのか操作者に示すように表示部等により動作状態を表示するようになっている。
【００５６】
（操作パネルの説明）
図５は、デジタルカラー複写機における操作パネルを表した平面図である。
この操作パネルの中央部分には、タッチパネル液晶表示装置６が配置されていて、その周囲に各種モード設定キー群が配置されている。
【００５７】
このタッチパネル液晶表示装置６の画面上には、常時画像編集機能を選択するための画面に切り換える画面切り換え指示エリアがあって、このエリアを指で直接押圧操作すると各種画像編集機能が選択できるように液晶画面上に各種編集機能が一覧表示される。
その表示された各種編集機能の中から、操作者が所望する機能が表示されている領域を指で触れることにより編集機能が設定される。
【００５８】
上記操作パネル上に配置された各種設定キー群について簡単に説明すると、７はタッチパネル液晶表示装置６の画面の明るさを調整するダイヤルである。
８は倍率を自動的に選択させるモードを設定する倍率自動設定キー、９は複写倍率を１％きざみで設定するためのズームキー、１０と１１は固定倍率を読み出して選択するための固定倍率キー、１２は複写倍率を標準倍率（等倍）に戻すための等倍キーである。
【００５９】
１３はコピー濃度調整を自動から手動または写真モードへと切り換えるための濃度切り換えキー、１４は手動モードまたは写真モードの時に濃度レベルを細かく設定するための濃度調整キー、１５は複写機の給紙部にセットされている用紙サイズの中から希望する用紙サイズを選択するためのトレイ選択キーである。
【００６０】
１６は複写枚数の設定するための枚数設定キー、１７は複写枚数をクリアしたり、連続コピーを途中で止める時に操作するクリアキー、１８はコピーの開始を指示するためのスタートキー、１９は現在設定されているモードの全てを解除して標準状態に復帰させるための全解除キー、２０は連続コピー中に別の原稿に対するコピーを行いたい時に操作する割り込みキー、２１は複写機の操作が分からない時に操作することで複写機の操作方法をメッセージ表示するための操作ガイドキー、２２は操作ガイドキー２１の操作により表示されたメッセージの続きを表示させるためのメッセージ順送りキーである。
【００６１】
２３は両面複写モードを設定するための両面モード設定キー、２４は複写機から排出される複写物を仕分けるための後処理装置の動作モードを設定するための後処理モード設定キーである。
２５〜２７は、プリンタモード、ファクシミリモードに関する設定キーであり、２５は送信原稿を一旦メモリに蓄えてから送信するメモリ送信モードキー、２６はデジタル複写機のモードをコピーとファックス、プリンタの間で切り換えるためのコピー／ファックス・プリンタモード切り換えキー、２７は送信先電話番号を予め記憶させておき送信時にワンタッチ操作で送信先に電話を発信させるためのワンタッチダイヤルキーである。
【００６２】
今回提示した操作パネル及びその操作パネル上に配置される各種キーは、あくまで１例であり、デジタルカラー複写機に搭載される各種機能により操作パネル上に設けられるキーは異なってくることはいうまでもない。
【００６３】
本発明のデジタルカラー複写機における画像を複数並べて記録再現する画像処理方法の実施形態について図６とともに説明する。
【００６４】
まず、原稿読み取り部１１０で読み取られた原稿画像ａは画像処理部４１で画像処理が行われ、画像メモリ４３ｅへ記憶される。
そして、画像メモリ４３ｅ上の主走査方向に画像ａ’，ａ’’を作成する。
【００６５】
この状態で画像形成部２１０を起動させ、画像メモリ４３ｅ上の画像ａ，画像ａ’，画像ａ’’の画像データをレーザーコントロール４２へ転送しレーザービームスキャナ２２７ａ〜２２７ｄを駆動して感光体ドラム２２２ａ〜２２２ｄへ書き込み、用紙への作像、さらには、定着装置２１７で定着し出紙を行い用紙に画像群を印刷する。
【００６６】
また、原稿読み取り部１１０で原稿画像を読み込んだ時、従来より行われている原稿サイズ検知により検知された原稿画像ａの主走査方向の原稿サイズと、給紙機構２１１に収容されている用紙の主走査方向のサイズとに基づき、用紙の主走査方向へ原稿画像ａを何回展開することが可能か演算し、演算結果により用紙の主走査方向に収まる画像ａ〔図６（ａ）〕の個数（展開数）を求め、この得られた個数画像ａを展開して形成する。
【００６７】
ここで、主走査方向に複数の画像群を作成する方法として、原稿読み取り部１１０を複数回駆動して複数回原稿画像を読み込むことで画像メモリ４３ｅ上に画像群ａ，ａ’，ａ’’を作成することが可能である。
また、別の方法として、原稿読み取り部１１０から読み込んだ画像ａを画像メモリ４３ｅ上で展開することで、画像メモリ４３ｅ上に画像群ａ，ａ’，ａ’’を作成することも可能である。
【００６８】
ここで画像メモリ４３ｅに画像データを記憶する際、予め給紙機構２１１に装着されている用紙の主走査方向のサイズにより主走査方向のメモリ幅（データ量）を求めておき、メモリを確保する。
【００６９】
次に、原稿サイズ検知により検知された原稿画像ａの主走査方向の幅及び副走査方向の長さと用紙より求められたメモリ幅を指定して、画像データバスに接続されたＤＭＡ（ｄｉｒｅｃｔ  ｍｅｍｏｒｙ  ａｃｃｅｓｓ）コントローラ４８によりによりＤＭＡ方式による画像データの転送を行い、画像メモリ４３ｅ上に画像ａを記録する。
また、同様にして画像ａ’，画像ａ’’も画像メモリ４３ｅ上に記憶し〔図６（ｂ）〕、この画像群データを画像メモリ４３ｅから読み出し用紙に印刷する〔図６（ｃ）〕。
【００７０】
上記のように画像メモリ４３ｅ上において、主走査方向に展開された画像群を画像データバスに接続されたＤＭＡコントローラ４８により、画像メモリ４３ｅ上の主走査方向の幅と副走査方向の長さ及び用紙の副走査方向の記録長を指定し、ＤＭＡ方式による画像データの転送をレーザーコントロール４２へ行う。この時、ＤＭＡコントローラ４８は、画像メモリ４３ｅの画像群データ（画像ａ，画像ａ’，画像ａ’’）を送り終わると、先に設定された記録長に満たない場合、自動的に画像メモリ４３ｅ上の画像群データ（画像ａ，画像ａ’，画像ａ’’）の最初に戻って再び転送する機能を有し、画像群データを１回読みだし用紙に画像群ｂを形成し、２回目の読み出しによる画像群ｂ’、３回目の読み出しによる画像群ｂ’’〔図７（ｃ）〕を印刷する。
【００７１】
ここで、図７に示すように原稿読み取り部１１０で原稿画像を読み込んだ時、従来より行われている原稿サイズ検知により検知された原稿画像の副走査方向の原稿サイズと、給紙機構２１１に収容されている用紙の副走査方向のサイズによって演算を行うことで、用紙に副走査方向に収まる画像ａの個数（画像メモリ４３ｅのデータ転送の繰り返し回数）を求めることができる。
【００７２】
さらに、操作パネル７５の枚数設定キー１６などにより入力された希望する出力画像の数（焼き増し数）を原稿サイズと用紙のサイズより演算で求め、この演算の結果、得られた主走査方向の最大展開数及び副走査方向の最大繰り返し数とを比較演算して最適な主走査方向の展開数及び副走査方向の繰り返し数を求めて用紙への印刷を行う（図７）。
【００７３】
また、原稿画像より給紙機構２１１が給紙可能な用紙それぞれの主走査方向の最大展開数及び副走査方向の最大繰り返し数を求め、操作パネル７５の枚数設定キー１６などより入力された希望する出力画像の数（焼き増し数）とを比較し、最適な用紙を選択することも可能である。
【００７４】
まず、原稿読み取り部１１０より読み込まれた原稿画像データより主走査方向の幅及び副走査方向の長さを求める。次に、用紙の主走査方向の幅及び副走査方向の長さより演算で主走査方向の最大展開数及び副走査方向の最大繰り返し数を求める。さらに、読み込まれた原稿画像データを９０゜回転させた場合の用紙への主走査方向の最大展開数及び副走査方向の最大繰り返し数を求め、この時の１枚の用紙に記録できる最大の画像数（ｎ２）を算出する。ここで先に算出した最大画像数と比較してｎ２の方が多ければ原稿画像データを画像メモリ４３ｅ上で９０゜回転させることで１枚の用紙により多くの画像を記録できる〔図８（ｃ），図８（ｄ）〕。
【００７５】
原稿読み取り部１１０で原稿画像を読み込んだ時、原稿サイズ検知により検知された原稿画像の主走査方向の原稿サイズと、給紙機構２１１に収容されている用紙の主走査方向のサイズによって演算を行うことで、用紙に主走査方向に収まる画像ａの個数（展開数ｍ）を求める。ここで、主走査方向の展開をｍ−１画像を左端に詰めて配置し、１画像を用紙に合わせて確保したメモリ幅の右端に詰めて配置するように展開する。
【００７６】
次に、原稿画像（図６）の副走査方向の原稿サイズと、用紙の副走査方向のサイズによって演算を行うことで、用紙に副走査方向に収まる画像の個数（画像メモリのデータ転送の繰り返し数ｋ）を求める。ここで、画像メモリの画像データをレーザーコントロール４２へｋ−１回繰り返し転送し、用紙の副走査方向長さから画像ａの副走査方向長さ×ｋを引いた長さ分用紙を搬送した後、残り１回画像データを転送し印刷を行い図９の出力画像を得る。
【００７７】
上記実施形態によれば、原稿画像を画像メモリ上で主走査方向に少なくともひとつ展開しておき、この主走査方向に少なくともひとつ展開された画像メモリ上の画像を順次読み出して記録再現するので、画像メモリの容量は副走査方向１画像分でよく１ページ分持つ必要がなくなる。つまり、展開するデータ量もそれだけ少なくなるので、処理時間も軽減できる。
したがって、画像出力時の画像データの記録準備に必要以上の処理時間を必要とすることなく、画像情報の入力から出力まで効率よく処理することにより、結果として画像情報を所望する形でもって記録再現することが可能となる。
【００７８】
ここで、画像メモリ上に主走査方向に１画像分の画像データを置きこれを繰り返して読み出しする場合、画像形成部へのデータ転送は、１画像の１ライン毎に転送設定処理が必要となる。そうすると、１回の画像群（画像ａ，画像ａ’，画像ａ’’）を形成するだけで、主走査方向展開数×１画像の副走査ライン数回の転送設定処理が必要になる。
ところが、主走査方向に画像データを展開し画像群（画像ａ，画像ａ’，画像ａ’’）を作っておけば、主走査方向の画像データが用紙１ライン分用意できるので、画像形成部へのデータ転送はこの１画像群で１度の転送設定で転送可能になり大幅なＣＰＵ制御の軽減となり高速に効率よく処理が行える。
【００７９】
また、記録出力の前段階に画像の出力を考慮した簡単な処理工程（画像展開）を追加するだけで、画像出力処理の高速化に充分対応することができる。
【００８０】
【発明の効果】
請求項１記載の画像処理装置によれば、原稿画像を画像情報記憶管理手段上で主走査方向に少なくともひとつ展開しておき、この主走査方向に少なくともひとつ展開された画像情報記憶管理手段上の画像を順次読み出して記録再現するので、画像情報記憶管理手段の容量は副走査方向１画像分でよく１ページ分持つ必要がなくなる。つまり、展開するデータ量もそれだけ少なくなるので、処理時間を短縮することができる。
したがって、画像出力時の画像情報の記録準備に必要以上の処理時間を必要せず、画像情報の入力から出力まで効率よく処理することができる。
また、記録媒体上に再現される画像は、記録媒体の一端に対して平行、かつ近傍となるように記録再現されるので、記録媒体上に複数の画像群として記録再現された画像部分をさらに切り取りたいときに、切り取りの基準となる。
さらに、原稿画像を画像メモリ上で主走査方向に少なくともひとつ展開しておき、この主走査方向に少なくともひとつ展開された画像メモリ上の画像を順次読み出して記録再現するので、画像メモリの容量は副走査方向１画像分でよく１ページ分持つ必要がなくなる。つまり、展開するデータ量もそれだけ少なくなるので、処理時間も軽減できる。
したがって、画像出力時の画像データの記録準備に必要以上の処理時間を必要とすることなく、画像情報の入力から出力まで効率よく処理することにより、結果として画像情報を所望する形でもって記録再現することが可能となる。
【００８２】
請求項２記載の画像処理装置によれば、原稿画像を画像メモリ上で主走査方向に少なくともひとつ展開しておき、この主走査方向に少なくともひとつ展開された画像メモリ上の画像を順次読み出して記録再現するので、画像メモリの容量は副走査方向１画像分でよく１ページ分持つ必要がなくなる。つまり、展開するデータ量もそれだけ少なくなるので、処理時間も軽減できる。
したがって、画像出力時の画像データの記録準備に必要以上の処理時間を必要とすることなく、画像情報の入力から出力まで効率よく処理することにより、結果として画像情報を所望する形でもって記録再現することが可能となる。
【図面の簡単な説明】
【図１】本発明の画像処理装置であるデジタルカラー複写機の実施形態の全体構造を示す正面断面図である。
【図２】図１のデジタルカラー複写機を核としたネットワークシステムの構成を示す説明図である。
【図３】本発明のデジタルカラー複写機に含まれている画像処理部のブロック構成図である。
【図４】本発明のデジタルカラー複写機の装置全体の各部を制御する中央処理回路を含む制御回路のブロック図である。
【図５】本発明のデジタルカラー複写機における操作パネルを示した平面図である。
【図６】本発明のデジタルカラー複写機において、原稿より読み込んだ画像データの画像メモリへの展開を示す説明図である。
【図７】本発明のデジタルカラー複写機において、画像メモリの画像データから用紙への記録を示す説明図である。
【図８】本発明のデジタルカラー複写機において、画像メモリ上での画像データの回転状態を示す説明図である。
【図９】本発明のデジタルカラー複写機において、画像メモリへの画像データの配置、および用紙への画像群の配置を示す説明図である。
【符号の説明】
４０  画像データ入力部
４１  画像処理部
４２  画像データ出力部
４３  画像メモリ
４４  中央処理ユニット（ＣＰＵ）
４５  画像編集部
４６，４７  外部インターフェイス部
４８  ＤＭＡコントローラ
【図１】
0003595899.tif 000002
【図２】
0003595899.tif 000003
【図３】
0003595899.tif 000004
【図４】
0003595899.tif 000005
【図５】
0003595899.tif 000006
【図６】
0003595899.tif 000007
【図７】
0003595899.tif 000008
【図８】
0003595899.tif 000009
【図９】
0003595899.tif 000010